(57)【要約】【課題】欠陥のある布や品物を避ける手法の提供。【解決手段】本発明は、制御器、複数の選針機、伝送線路、及び織機を含む、検知システム付きの選針装置を提供する。前記複数の選針機は、電磁選針機であり、前記複数の選針機のそれぞれには、少なくとも１つの検知器が配置され、検知器は、異常信号を検知するように用いられる。制御器は、信号を伝送線路を介して前記複数の選針機に送信することにより、前記複数の選針機の選針状態を変化させる。本発明は、検知器が検知した選針機による異常信号を利用して、伝送線路を介して異常信号を制御器に送信することにより、シャットダウン信号を織機に発信して、織機をシャットダウンする。そのため、選針機に異常状態が発生した場合、シャットダウン信号により、欠陥のある布や品物を避けることができる。【選択図】図１
2020012222.tif 000002
【特許請求の範囲】
【請求項１】
制御器と、電磁選針機である複数の選針機と、前記制御器と前記複数の選針機との間に電気的に接続され、それぞれに少なくとも１つの検知器が配置される伝送線路と、を含む、検知システム付きの選針装置を提供するステップと、
デザインされた編地パターンのデータを、前記制御器に送信するステップと、
前記制御器が、ジャカードの効果を得るために前記伝送線路を通じて信号を前記複数の選針機に送信して、前記複数の選針機の選針の状態を変化するステップと、
前記選針機に異常状態が発生した場合、前記選針機における前記検知器は、異常信号を検知して、前記伝送線路を介して前記制御器に送信し、前記制御器が異常信号を受信した後、シャットダウン信号を織機に発信して、前記織機をシャットダウンさせるステップと、
を備える、ことを特徴とする選針装置の検知方法。
【請求項２】
前記選針機は、ベース、駆動回路、複数の鉄心入りコイル、及び複数の選針ジャックを含み、
前記駆動回路及び前記複数の鉄心入りコイルは、前記ベースに配置され、前記駆動回路は、前記伝送線路を介して前記制御器と電気的に接続され、前記複数の鉄心入りコイルは、前記駆動回路に電気的に接続され、
前記複数の選針ジャックが、前記ベースに配置され、前記複数の選針ジャックにおける一方の端部は前記ベースから延出して、他方の端部は、それぞれ前記複数の鉄心入りコイルと隣接し、電磁により、前記複数の選針ジャックを揺動させるように駆動する、ことを特徴とする、請求項１に記載する選針装置の検知方法。
【請求項３】
前記鉄心入りコイルは、コイル及び鉄心を含み、前記コイルは、前記鉄心に巻き包まれて、前記駆動回路に電気的に接続され、前記検知器は、前記コイルに電気的に接続され、
前記検知器は、異常電流検知器であり、前記選針機に異常状態が発生した場合、前記検知器が異常電流を検知する、ことを特徴とする、請求項１に記載する選針装置の検知方法。
【請求項４】
前記検知器と前記制御器との間に比較器が配置され、前記比較器は、前記検知器が検知した信号と所定値と比較することにより、前記選針機に異常状態が発生したかどうかについて判断する、ことを特徴とする、請求項１に記載する選針装置の検知方法。
【請求項５】
前記制御器は、前記編地パターンのデータを入力するための電気コネクタを含む、ことを特徴とする、請求項１に記載する選針装置の検知方法。
【請求項６】
制御器と、
電磁選針機であるとともにそれぞれには、異常信号を検知する少なくとも１つの検知器が配置される、複数の選針機と、
前記制御器と前記複数の選針機との間に電気的に接続される伝送線路と、
前記複数の選針機が配置される織機と、
を含む、システム付きの選針装置であって、
前記制御器は、信号を前記伝送線路を通じて前記複数の選針機に送信することにより、前記複数の選針機の選針状態を変化させ、
前記選針機は、前記検知器により異常信号を検知して、前記伝送線路を介して、異常信号を前記制御器に送信することにより、シャットダウン信号を前記織機に発信して、前記織機をシャットダウンする、ことを特徴とするシステム付きの選針装置。
【請求項７】
前記選針機は、ベース、駆動回路、複数の鉄心入りコイル、及び複数の選針ジャックを含み、
前記駆動回路及び前記複数の鉄心入りコイルは、前記ベースに配置され、
前記駆動回路は、前記伝送線路を介して前記制御器と電気的に接続され、前記複数の鉄心入りコイルは、前記駆動回路に電気的に接続され、前記複数の選針ジャックは、前記ベースに配置され、前記複数の選針ジャックにおける一方の端部は、前記ベースから延出し、前記複数の選針ジャックにおける他方の端部は、それぞれ前記複数の鉄心入りコイルと隣接する、ことを特徴とする、請求項６に記載する検知システム付きの選針装置。
【請求項８】
前記鉄心入りコイルは、コイル及び鉄心を含み、前記コイルは、前記鉄心に巻き包まれ、前記駆動回路に電気的に接続され、
前記検知器は、前記コイルに電気的に接続され、前記検知器は、前記コイルの異常電流を検知するための異常電流検知器である、ことを特徴とする、請求項７に記載する検知システム付きの選針装置。
【請求項９】
前記検知器と前記制御器との間に比較器が配置される、ことを特徴とする、請求項６に記載する検知システム付きの選針装置。
【請求項１０】
前記制御器は、編地パターンのデータを入力するための電気コネクタを含む、ことを特徴とする、請求項６に記載する検知システム付きの選針装置。
【発明の詳細な説明】
【技術分野】
【０００１】
本発明は、選針装置に関し、特に選針装置の検知方法、及び検知システム付きの選針装置に関する。
【背景技術】
【０００２】
織機は、制御コンピュータ、選針機及び織り装置を含む。制御コンピュータは、制御器及びメモリを含み、メモリは、編地パターンのデータを記憶するように用いられる。同時に、制御器は、クロックパルスに応じてメモリに記憶された編地パターンのデータをデータバスを介して選針機に送信する。選針機は、その送信された編地パターンのデータに基づいて織り装置を動かせて希望のパターンを織るように構成される。
【０００３】
既存の選針機は、ほぼ圧電または電磁の形式を採用する。なかでも、圧電形式の選針機は故障率が高いため、電磁形式の選針機はますます重視されていく。電磁選針機は、複数の鉄心入りコイルが配置されており、電磁で選針ジャックを揺動させるように駆動して、さらに織り装置の織り動作を動かせる。
【０００４】
なお、電磁選針機には短絡または焼損などの異常状態が起こされ、織機にいずれかの選針機が発生しても、すぐに知ることができない。編地の織りが完成した後に作業員の目で観察しなければ、判断できず、その時点では、欠陥のある布や品物が既に製造されて、かつ、作業員にとって判断することも大変であり、ミスも生じやすく、業者にひどい損失をもたらし、製造コストを増加させる。
【０００５】
結論として、本発明者は、上記の欠点が改善できるものであり、研究を続けて、ついに上記欠点を効果的に改善できる本発明を提出した。
【発明の概要】
【発明が解決しようとする課題】
【０００６】
本発明が解決しようとする技術的な課題では、選針装置の検知方法、及び検知システム付きの選針装置を提供する。選針機に異常状態が発生した場合、シャットダウン信号を発信して、欠陥のある布や品物を避け、損失を減らし製造コストを削減することができる。
【課題を解決するための手段】
【０００７】
上記の技術的な課題を解決するために、本発明は、選針装置の検知方法を提供する。該検知方法は、検知システム付きの選針装置を提供するステップを含む。前記選針装置は、制御器、複数の選針機、及び伝送線路を含む。前記複数の選針機は、電磁選針機であり、前記伝送線路は、前記制御器と前記複数の選針機との間に電気的に接続され、前記複数の選針機のそれぞれには、少なくとも１つの検知器が配置される。該検知方法は、デザインされた編地パターンのデータを前記制御器に送信するステップを含む。前記制御器は、前記伝送線路を介して信号を前記複数の選針機に送信することにより、ジャカードの効果を果たすために前記複数の選針機の選針の状態を変化させることができる。該検知方法は、前記選針機に異常状態が発生した場合、前記選針機における検知器が異常信号を検知して、前記伝送線路を通じて異常信号を前記制御器に送信し、前記制御器が異常信号を受信すれば、シャットダウン信号を織機に発信して、前記織機をシャットダウンするステップを含む。
【０００８】
上記の技術的な課題を解決するために、本発明は、さらに検知システム付きの選針装置を提供する。該検知システム付きの選針装置は、制御器、複数の選針機、伝送線路、及び織機を含む。前記複数の選針機は、電磁選針機であり、前記複数の選針機のそれぞれに少なくとも１つの検知器が配置される。前記検知器は、異常信号を検知するよう用いられる。前記伝送線路は、前記制御器と前記複数の選針機との間に電気的に接続される。前記織機に前記複数の選針機が配置される。なかでも、前記制御器は、前記伝送線路を介して信号を前記複数の選針機に送信することにより、前記複数の選針機の選針の状態を変化させる。前記選針機は、前記検知器を利用して異常信号を検知して、前記伝送線路を通じて異常信号を前記制御器に送信することにより、シャットダウン信号を前記織機に発信して、前記織機をシャットダウンする。
【０００９】
好ましくは、前記選針機は、ベース、駆動回路、複数の鉄心入りコイル、及び複数の選針ジャックを含む。前記駆動回路及び前記複数の鉄心入りコイルは、前記ベースに配置される。前記駆動回路は、前記伝送線路を介して前記制御器に電気的に接続される。前記複数の鉄心入りコイルは、前記駆動回路に電気的に接続される。前記複数の選針ジャックが、前記ベースに配置され、前記複数の選針ジャックにおける一方の端部が前記ベースから延出し、前記複数の選針ジャックにおける他方の端部はそれぞれ前記複数の鉄心入りコイルと隣接することにより、電磁で前記複数の選針ジャックを揺動させるように駆動することができる。
【００１０】
好ましくは、前記鉄心入りコイルがコイル及び鉄心を備え、前記コイルは、前記鉄心に巻き包まれる。前記コイルは、前記駆動回路に電気的に接続される。前記検知器は、前記コイルに電気的に接続される。前記検知器は、異常電流検知器であり、前記選針機に異常状態が発生すると、前記検知器が異常電流を検知する。
【発明の効果】
【００１１】
本発明は、選針機に異常状態が発生する時、シャットダウン信号を発信して、織機をシャットダウンすることにより、欠陥のある布や品物を避け、損失を減らし製造コストを削減することができる。
【図面の簡単な説明】
【００１２】
【図１】本発明に係る選針装置を示す模式図である。
【図２】本発明に係る制御器を示す斜視図である。
【図３】本発明に係る選針機を示す斜視図である。
【図４】本発明に係る選針機を示す上面図である。
【図５】本発明に係る選針装置を示す回路ブロック図である。
【図６】本発明に係る選針装置の検知方法を示すフローチャートである。
【発明を実施するための形態】
【００１３】
本発明の特徴及び技術内容がより一層分かるように、以下本発明に関する詳細な説明と添付図面を参照する。しかし、提供される添付図面は参考と説明のために提供するものに過ぎず、本発明の特許請求の範囲を制限するためのものではない。
【００１４】
［第１の実施形態］
図１及び図２を参照する。本発明は、検知システム付きの選針装置を提供する。該検知システム付きの選針装置は、制御器１、複数の選針機２、及び伝送線路３を含む。前記複数の選針機２は、電磁選針機である。伝送線路３は、制御器１と前記複数の選針機２との間に電気的に接続される。前記複数の選針機２は、織機４に配置される。前記制御器１は、電気コネクタ１１を備えてもよい。前記電気コネクタ１１は、ＵＳＢコネクタなど、編地パターンのデータ（画像ファイル）を入力してメモリに記憶するためのものである。
【００１５】
前記制御器１は、信号を伝送線路３（データバス）を通じて前記複数の選針機２に送信することにより、前記複数の選針機２の選針の状態を変化させ、それにより、さらにジャカードの効果を果たすことができる。具体的には、選針機２は、受信された編地パターンのデータに係る信号に基づいて、織機４における織り装置を動かせて、希望のパターンを織ることができる。
【００１６】
前記複数の選針機２のそれぞれには、少なくとも１つの検知器２５が配置される。前記検知器２５は、異常信号を検知するように用いられる。例えば、異常電流又は異常電圧などの信号を検知する。本実施形態において、前記検知器は、異常電流検知器であり、異常電流を検知することができる。選針機２に異常状態が発生すると、検知器２５は、異常信号を検知して、伝送線路３を介して異常信号を制御器１に送信することができる。前記制御器１が異常信号を受信すると、欠陥のある布や品物の製品を避けるために、シャットダウン信号を織機４に発信する。
【００１７】
本発明に係る他の実施形態において、前記検知器２５は、異常電圧または他の異常信号を検知する、異常電圧検知器又は他の検知素子とされ、選針機２に異常状態が発生した時、シャットダウン信号を発信して、織機をシャットダウンしてもよい。
【００１８】
［第２の実施形態］
本発明の選針機２の構成は、８節、１２節、１６節または２４節などの電磁選針機であり、本発明はそれに制限されない。図３及び図４を参照する。本実施形態は、１６節の電磁（電磁石）選針機を開示する。前記選針機２は、ベース２１、駆動回路２２、複数の鉄心入りコイル２３、及び複数の選針ジャック２４を含む。前記駆動回路２２及び前記複数の鉄心入りコイル２３は、ベース２１に配置される。駆動回路２２は、伝送線路３を介して制御器１に電気的に接続される。前記複数の鉄心入りコイル２３は、駆動回路２２に電気的に接続される。即ち、鉄心入りコイル２３は、コイル２３１及び鉄心２３２を有し、コイル２３１は鉄心２３２に巻き包まれる。コイル２３１は、駆動回路２２に電気的に接続される。前記複数の選針ジャック２４がベース２１に配置され、前記複数の選針ジャック２４における一方の端部（前端部）が、ベース２１から延出するように構成され、前記複数の選針ジャック２４のそれぞれは、互いに間隔を空けるように配置される。前記複数の選針ジャック２４は、一列又は二列に排列されてもよい。本実施形態において、全部１６つの選針ジャック２４が配置され、かつ、前記複数の選針ジャック２４は二列に排列され、１６節の選針機に構成される。なお、選針ジャック２４の数又は排列はここで制限されない。例えば、８つ、１２つ、又は２４つの選針ジャック２４を配置して、８節、１２節又は２４節の選針機に構成してもよい。前記複数の選針ジャック２４における他方の端部（後端部）は、それぞれ前記複数の鉄心入りコイル２３と隣接して、即ち、前記複数の選針ジャック２４における他方の端部は、それぞれ前記複数の鉄心入りコイル２３に対応することにより、電磁で前記複数の選針ジャック２４を揺動させるように駆動して、さらに織り装置を動かせて織りを始めさせる。
【００１９】
［第３の実施形態］
図５を参照する。図５は、本実施形態が開示した選針装置示す回路ブロック図であり、選針機２毎には、駆動回路２２及び複数の鉄心入りコイル２３（図４に示すように）が配置され、駆動回路２２は、伝送線路３を通じて制御器１と電気的に接続される。鉄心入りコイル２３は、それぞれコイル２３１及び一鉄心２３２を含む。コイル２３１は、鉄心２３２に巻き包まれ、コイル２３１が駆動回路２２に電気的に接続される。前記コイル２３１は、少なくとも１つの検知器２５に電気的に接続される。本実施形態において、前記検知器２５は、異常電流検知器であり、異常電流を検知することができる。選針機２に異常状態が発生すると、検知器２５は、異常信号（異常電流）を検知して、伝送線路３を通じて異常信号を制御器１に送信して、前記制御器１が異常信号を受信した後、シャットダウン信号を織機４に発信して、織機４をシャットダウンする。
【００２０】
本実施形態において、前記検知器２５と制御器１との間に比較器２６がさらに配置され、それにより検知器２５が検知した信号（例えば、異常電流）と所定値を比較して、選針機２に異常状態が確かに発生したかどうかについて判断する。
【００２１】
［第４の実施形態］
図６を参照する。本実施形態は、他の選針装置の検知方法を提供する。該選針装置の検知方法は下記のステップを含む。
【００２２】
まず、検知システム付きの選針装置を提供する。前記選針装置は、制御器１、複数の選針機２、及び伝送線路３（図１乃至図５を参照する）を含む。前記複数の選針機２は、電磁選針機であり、伝送線路３は、制御器１と前記複数の選針機２との間に電気的に接続され、前記複数の選針機２のそれぞれには、少なくとも１つの検知器２５が配置される。前記検知器２５は、異常信号を検知するように用いられる。前記選針装置は、上述した実施形態と同様であるため、ここでは説明を繰り返さない。
【００２３】
そして、デザインされた編地パターンのデータ（画像ファイル）を制御器１に送信する。
【００２４】
そして、制御器１は、ジャカードの効果を果たすために、伝送線路３を介して信号を前記複数の選針機２に送信することにより、前記複数の選針機２の選針の状態を変化させる。
【００２５】
前記選針機２に異常状態が発生すると、前記選針機２における検知器２５が異常信号を検知して、伝送線路３を通じて異常信号を制御器１に送信する。前記制御器１が異常信号を受信した後、シャットダウン信号を織機４に発信して、織機４をシャットダウンする。本実施形態において、前記検知器２５は、異常電流検知器であり、選針機２のコイル２３１の異常電流を検知するように用いられる。
【００２６】
本発明の特長と機能では、選針機に異常状態が発生するとき、シャットダウン信号を発信することにより織機をシャットダウンする。それにより、欠陥のある布や品物を避け、損失を減らし製造コストを削減することができる。
【００２７】
以上に開示される内容は本発明の好ましい実施可能な実施例に過ぎず、これにより本発明の特許請求の範囲を制限するものではないので、本発明の明細書及び添付図面の内容に基づき為された等価の技術変形は、全て本発明の特許請求の範囲に含まれるものとする。
【符号の説明】
【００２８】
１      制御器
１１    電気コネクタ
２      選針機
２１    ベース
２２    駆動回路
２３    鉄心入りコイル
２３１  コイル
２３２  鉄心
２４    選針ジャック
２５    検知器
２６    比較器
３      伝送線路
４      織機
【図１】
2020012222.tif 000003
【図２】
2020012222.tif 000004
【図３】
2020012222.tif 000005
【図４】
2020012222.tif 000006
【図５】
2020012222.tif 000007
【図６】
2020012222.tif 000008